(57)【要約】【課題】誰もが使い易い機械が求められており、この観点から農業機械を改善し、メンテナンス性を向上させることを目的とする。【解決手段】コンバイン１００の本機を覆い、該本機側に対して開閉可能な左側面カバー３０と点検・清掃作業時にはフィードチェーン９を作業しやすい位置に開放させる操作をするフィードチェーンオープンレバー４１とを有する農業機械において、前記フィードチェーンオープンレバー４１を周囲部品とは異なる配色としたコンバイン１００を提供する。【選択図】図１
2007060938.tif 000002
【特許請求の範囲】
【請求項１】
本機に対して開閉又は着脱可能なカバーと、該カバーを固定するカバー固定具とを有する農業機械において、
前記カバー固定具を周囲部品とは異なる配色としたことを特徴とする農業機械。
【請求項２】
本機に対して開閉又は着脱可能な仕組と、該仕組を固定する仕組固定具とを有する農業機械において
前記仕組固定具を周囲部品とは異なる配色としたことを特徴とする農業機械。
【請求項３】
本機に対して開閉又は着脱可能なカバーと、該カバーによって少なくともその一部が覆われる本機に対して開閉又は着脱可能な仕組と、該仕組を固定する仕組固定具とを有する農業機械において、
該仕組を覆うカバーは、該仕組固定具が固定位置以外にあるときには、閉めたり取り付けたりすることができない構成とすることを特徴とする農業機械。
【請求項４】
前記仕組固定具に把持部を設け、該把持部を仕組固定具とは異なる配色としたことを特徴とする請求項３記載の農業機械。
【請求項５】
前記農業機械をコンバインとし、前記仕組をフィードチェーン又はカッターオープンとすることを特徴とする請求項２乃至４のいずれか一項に記載の農業機械。
【発明の詳細な説明】
【技術分野】
【０００１】
本発明は、農業機械、詳しくは農業機械の点検・清掃等の作業する場合に、被作業部を開放又は脱着させるための固定具を容易に認識できるようにする技術に関する。
【背景技術】
【０００２】
田植機やコンバインや籾摺機等の農業機械は、特定の時期にのみ使用され、使わない期間は格納されている。ただ、使い終わった後に何も整備しないままでは、錆の発生・部品寿命耐久低下・オイルの劣化等が起こり、来シーズンの使用に悪影響を及ぼすことになる。メンテナンスとは、使い終わった後に、来シーズンに向けてすぐに使える状態にしておく整備・点検のことである。
最近では、農業機械は、構造が複雑で高度な機能を持つ機械が多くなってきている。機械の種類が多様となり、高度化が進んでくると、構造や各部の関係は外見からでは捉えにくくなってくる。そこで、農業機械において、見えにくい各部の整備・点検を簡単に行なえるメンテナンス性の向上が望まれている。
【０００３】
農業機械のメンテナンス性改善の観点から、特許文献１では、従来、機体の運転席下方に搭載されていたエンジンを、運転席後部に配置したコンバインを開示している。該コンバインの構成では、メンテナンス作業のスペースが広く、エンジンカバーも開けやすいことで、エンジンのメンテナンス性を向上している（特許文献１参照）。
【０００４】
一方、近年では、農業機械分野において、誰もが使いやすい機械であることが求められている。つまり、女性・高齢者・新規就農者、つまりどんな人間に対しても、使いやすい機械が求められている。農業機械のメンテナンスについても、作業が楽で、間違いがないという観点からの改良が望まれている。
【特許文献１】特開２００５−１７６６６４号公報
【特許文献２】特開２００４−３３７０７０号公報
【特許文献３】実公平７−１５３９３号公報
【発明の開示】
【発明が解決しようとする課題】
【０００５】
そこ、解決しようとする課題は、農業機械のメンテナンス性を向上することである。
【課題を解決するための手段】
【０００６】
本発明の解決しようとする課題は以上の如くであり、次にこの課題を解決するための手段を説明する。
【０００７】
即ち、請求項１においては、本機に対して開閉又は着脱可能なカバーと、該カバーを固定するカバー固定具と、を有する農業機械において、前記カバー固定具を周囲部品とは異なる配色としたものである。
【０００８】
請求項２においては、本機に対して開閉又は着脱可能な仕組と該仕組を固定する仕組固定具とを有する農業機械において前記仕組固定具を周囲部品とは異なる配色としたものである。
【０００９】
請求項３においては、本機に対して開閉又は着脱可能なカバーと、そのカバーによって少なくともその一部が覆われる本機に対して開閉又は着脱可能な仕組と該仕組を固定する仕組固定具とを有する農業機械において該仕組を覆うカバーは、該仕組固定具が固定位置以外にあるときには、閉めたり取り付けたりすることができない構成とするものである。
【００１０】
請求項４においては、前記仕組固定具に把持部を設け、該把持部を仕組固定具とは異なる配色としたものである。
【００１１】
請求項５においては、前記農業機械をコンバインとし、前記仕組をフィードチェーン又はカッターオープンとするものである。
【発明の効果】
【００１２】
本発明の効果として、以下に示すような効果を奏する。
【００１３】
請求項１においては、農業機械のメンテナンス時に、カバーを開く又は取り外す方法が分かり易くなり、メンテナンス性を向上することができる。
【００１４】
請求項２においては、農業機械のメンテナンス時に、仕組を開く又は取り外す方法が分かり易くなり、メンテナンス性を向上し、メンテナンス作業のミスを防止できる。
【００１５】
請求項３においては、農業機械のメンテナンス作業時に、作業ミスを防止できる。
【００１６】
請求項４においては、請求項３の効果に加え、仕組固定具のどこを（どこの部分を）持って操作すれば良いのかが分かり易くなり、メンテナンス性を向上できる。また、既存の農業機械に対しても把持部の交換のみの簡易な改造で本発明を実現できる。
【００１７】
請求項５においては、請求項２乃至４の効果に加え、コンバインにあってはメンテナンス頻度の高いフィードチェーンあるいはカッターオープン部分に適用することで、さらにメンテナンス性を向上できる。
【発明を実施するための最良の形態】
【００１８】
次に、発明を実施するための最良の形態を説明する。
図１は本発明の実施例に係るコンバインの全体的な構成を示した側面図、図２はコンバインの左側面のカバーを外した内部の側面図、図３はコンバインのグレンタンクを開放した状態を示す側面斜視図である。図４はコンバインのカッターを開放した状態を表す後方斜視図である。
【００１９】
図１に示すように、本発明に係る農業機械のコンバイン１００の全体構成について説明する。
本発明に係るコンバイン１００において、クローラ式走行装置１上には機体フレーム２が載置され、この機体フレーム２の前端には刈取部３が昇降可能に配設されている。この刈取部３の前端からは穀稈を分草するための分草板４が突出しており、この分草板４の後部には引起しケース５（引起し装置）が立設されている。そして、引起しケース５からはタイン６が突出しておいり、このタイン６が引起しケース５の周りを回動することにより穀稈を引き起し、前記分草板４後部に配設される刈刃７により穀稈の株元を刈り取る構成となっている。
【００２０】
機体側方（左側方）には、脱穀用穀稈を搬送するフィードチェーン９が設けられており、刈取部３で刈り取られた穀稈は、下部搬送装置８ａ、上部搬送装置８ｂ、縦搬送装置８ｃにより後方へ搬送され、株元が縦搬送装置８ｃの上端からフィードチェーン９に受け継がれて脱穀部１２内に搬送される。
すなわち、フィードチェーン９の上方には、搬送される穀稈を挟扼する挟扼杆（図示略）が複数の弾性支持体（図示略）を介して下方に付勢された状態で設けられており、縦搬送装置８ｃからフィードチェーン９の搬送始端部に供給された穀稈は、フィードチェーン９において挟扼杆２１（図符号なし）とともに株元側を挟扼されながら後方へ搬送され、脱穀部１２において機体前後方向を回転軸方向として設けられる扱胴１２ａにより脱穀される。
また、フィードチェーン９の後端には排藁チェーン１０が配設されており、この排藁チェーン１０の後部下方にはカッター２５（図４参照）、拡散コンベア（図示略）等からなる排藁処理部が形成されている。この排藁処理部により、排藁を切断して藁片にした後、拡散しながら圃場に均一放出、あるいは切断せずに放出するようにしている。
【００２１】
前記脱穀部１２の下方には選別部２７（図２参照）が配設されており、この選別部２７によって脱穀部１２から流下する穀粒や藁屑などから穀粒を選別し、選別後の穀粒を脱穀部１２の側方に配設されるグレンタンク１３に搬送して貯溜したり、藁屑などを機外に排出したりするようにしている。
【００２２】
穀粒の排出部１５としては、前記グレンタンク１３後方に構成され、縦排出オーガ１７が立設されている。この縦排出オーガ１７を中心にしてグレンタンク１３が側方へ回動可能とされており、機体内部側に配置される駆動系や油圧系のメンテナンスが容易に行われるようになっている。グレンタンク１３の底部には排出コンベア（図示略）が、前後方向に配設されており、エンジンからの動力が駆動系（図示しない）により排出コンベアへ断続可能に伝動され、この排出コンベアから排出部１５に動力を伝達することで、排出部１５に設けられた排出口１９から外部へグレンタンク１３内の穀粒を排出できるようにしている。排出部１５は、主に、下端が前記排出コンベアと連通され穀粒を縦送りする前記縦排出オーガ１７と、この縦排出オーガ１７の上端に連通されて穀粒を横送りする横排出オーガ１８とからなり、グレンタンク１３の後側に立設された縦排出オーガ１７の上端に、横排出オーガ１８の基端側が上下回動可能に枢着されている。縦排出オーガ１７は、機体フレーム２に対して旋回可能に枢着されている。これらにより、任意の場所へ穀粒を排出することが可能となっている。
【００２３】
また、グレンタンク１３の前方には運転部１４が構成されており、この運転部１４においては、操向ハンドル１６、走行変速レバー、刈取クラッチレバー、脱穀クラッチレバー等が配設されるとともにシート２０が設けられている。
【００２４】
ここで、本発明の実施例について説明する。
左側面カバー３０は、コンバイン１００の外側に被装され、フィードチェーン９やカッター２５の点検・清掃時に取り外される。通常、左側面カバー３０は外装が塗装されており、本実施例では赤で塗装されているものとする。
左側面カバー３０の外郭側には、凹部３２が設けられ、該凹部３２内には左側面カバー３０を取り付け状態に保持する、把持部３１が設けられている。本実施例では、図１に示すように、凹部３２及び把持部３１は、左側面カバー３０の前半部と後半部の上下略中央にそれぞれ設けられているが、左側面カバー３０を外し易く、持ち易い位置であれば本実施例に限定される必要はない。
ここで、把持部３１は黄色に着色され、機外から見て、赤色の左側面カバー３０の中で一際目立つようにされている。すなわち、作業者は、左側面カバー３０の赤色と把持部３１の黄色との色のコントラストによって、瞬時に把持部３１の位置を認識することができる。
【００２５】
このようにして、例えば、フィードチェーン９やカッター２５の点検・清掃の際、作業者は、把持部３１の位置を瞬時に認識でき、把持部３１をロック解除して左側面カバー３０を外すことができる。さらに、作業者は、例えば夜間での作業時に、手探りで前記凹部３２の位置を確認すなわち把持部３１の位置を確認できる。ここで、凹部３２は、左側面カバー３０と同色であっても把持部３１であっても構わない。
つまり、色のコントラストと凹形状によって、把持部３１を周囲と区別させることによって、カバー着脱時の作業効率を向上している。
また、本実施例では左側面カバー３０を紹介したが、コンバイン１００のメンテナンス時に取り外すカバー（例えば、図示しない右側面カバー）であれば本実施例を適用する。
【００２６】
コンバイン１００は、悪条件作業時に一般的に詰まりやすいところ（フィードチェーン９、脱穀部１２、カッター２５）、作業終了時に充分掃除が必要なところ（脱穀部１２、グレンタンク１３）、点検がやりにくく奥まったところ（グレンタンク１３、カッター２５）などは開閉又は着脱可能な仕組として、仕組固定具としての把持具であるオープンレバーの操作により、移動手段として作業部を開放できる構成として、メンテナンスが楽にできるようにしている。
【００２７】
図２に示すように、作業者は、前記左側面カバー３０を取り外すことにより、フィードチェーン９、選別装置２７の駆動部を確認することができる。フィードチェーン９は、フィードチェーンオープンレバー４１を操作することで、テンションバネ４５の付勢力を解除すると同時にロックを解除する。つまり、フィードチェーンオープンレバー４１を下方へ回動すると、フィードチェーン枠と機体フレームとの間のロックが解除され、同時に、テンションローラ４６を付勢するテンションバネ４５が緩められて、フィードチェーン９は機体側より突出された駆動スプロケット４７から外すことができる。そして、フィードチェーン枠は後部（左側後部）を支点として、前側が外側方に回動、つまり、開放される構成としている。このようにして、作業者は、フィードチェーンの点検・掃除、及び、脱穀装置部１２の受網の脱着等が楽に行なえる。
【００２８】
図３に示すように、前記グレンタンク１３は、駆動ベルトを外し、固定ピンを抜き取った後、グレンタンクオープンレバー４４を操作することで、機体後部を支点として外側に回動つまり開放される構成としている。グレンタンクオープンレバー４４の操作としては、グレンタンクオープンレバー把持部６４を手前に引くことによって解除し、グレンタンク１３を手前に引き出し開放する。このようにして、作業者は、グレンタンク１３の奥側にあるベルト・揚穀コンベアや還元コンベアの掃除口・油圧タンクなどの点検・掃除が楽に行なえる。
【００２９】
図２及び図４に示すように、前記カッター２５については、まず、作業者は、前述の左側面カバー３０を外して、カッターテンションレバー４２を操作して、カッター駆動ベルト５１をカッタープーリ５２から取り外す。次に、カッターロックレバー４３を押しながら、カッター２５を開放する。このようにして、作業者は、脱穀部１２後部及びカッター２５の点検・掃除が楽に行なえる。
【００３０】
ここで、前記フィードチェーンオープンレバー４１、カッターテンションレバー４２及びカッターロックレバー４３はライトブルーに配色され、前記左側面カバー３０を開放することにより、左側面の内部機器の中で一際目立つようにされている。
また、グレンタンクオープンレバー４４も同様にライトブルーに配色され、図示しない右側面カバーを開放することにより、右側面の内部機器の中で一際目立つようにされている。
すなわち、作業者は、通常黒に近い色である内部機器とオープンレバー４１・４２・４３・４４のライトブルーとの色のコントラストによって、オープンレバー４１・４２・４３・４４の位置を瞬時に認識することができる。
このようにして、例えば、フィードチェーン９やカッター２５の点検・清掃の際、作業者が操作すべきオープンレバーを瞬時に認識できるようにしている。さらに、作業者が、メンテナンス時に不用意にオープンレバー以外のレバーを操作することを防止でき、メンテナンス時の安全性を確保している。
つまり、色のコントラストによって、オープンレバー４１・４２・４３・４４を周囲と区別させることによって、メンテナンス時の作業効率を向上している。
【００３１】
別実施例として、前記フィードチェーンオープンレバー４１、カッターテンションレバー４２、カッターロックレバー４３及びグレンタンクオープンレバー４４のそれぞれの把持部６１・６２・６３・６４のみがライトブルーに配色されているとする。
このようにしても、前述の実施例と同様の効果を奏し、オープンレバーを操作するときに、どこの部分を持って操作すれば良いのかが容易に認識できる。さらに、例えば、本実施例適用前のコンバインのオープンレバー把持部が、樹脂製又はラバー製で取り外し可能であれば、ライトブルーに配色された把持部のみを交換することにて、本実施例を簡単に適用できる。
【００３２】
メンテナンス作業終了時は、開放された機器を通常位置に収納した後、前記オープンレバー４１・４２・４３を元の位置に戻し、機器を通常状態に固定し、さらに、左側面カバー３０を取り付ける。ここで、オープンレバー４１・４２・４３は、元の位置に戻ってなければ、左側面カバー３０が取り付けられない構造とする。つまり、オープンレバー４１・４２・４３は、元の位置に戻ってなければ、オープンレバー４１・４２・４３の一部が、左側面カバー３０の内面または内面に設けた突起等に当たって、左側面カバー３０の把持部３１に連設される係止部が機体側に設けた被係止部に係合できず、本機側に取り付けることができず、脱落する構成としているのである。
このようにして、作業者は、メンテナンス作業終了時に、オープンレバー４１・４２・４３にて開放した機器を通常位置に固定し忘れたとしても、左側面カバー３０が取り付けられないことで、機器が固定されていないことが認識できる。
つまり、メンテナンスした機器が通常位置に固定されていない状況では、カバーが着装できないことで、メンテナンス作業時のミスを防止し、作業の安全性を向上させている。
【００３３】
本実施例は、誰もが使いやすい機械であるようにしたものである。従来、改善が望まれていたメンテナンス作業において、女性・高齢者・新規就農者、つまりどんな人間でも簡単に作業できるように、色によるオープンレバーの識別を行ない、メンテナンス作業時の作業効率を向上した。
本実施例は、オープンレバー４１・４２・４３・４４をライトブルーに配色したが、内部機器とのコントラストが取れる色であれば、本実施例に限定するものではない。また、本実施例ではオープンレバーとして、フィードチェーンオープンレバー４１、カッターテンションレバー４２、カッターロックレバー４３及びグレンタンクオープンレバー４４を挙げたが、操作レバーではなく、メンテナンス時に使用するオープンレバーであれば、本実施例を適用することが望ましい。
【図面の簡単な説明】
【００３４】
【図１】本発明の実施例に係るコンバインの全体的な構成を示した側面図。
【図２】コンバインの左側面のカバーを外した内部の側面図。
【図３】コンバインのグレンタンクを開放した状態を示す側面斜視図。
【図４】コンバインのカッターを開放した状態を表す後方斜視図。
【符号の説明】
【００３５】
９    フィードチェーン
４１    フィードチェーンオープンレバー
４２    カッターテンションオープンレバー
４３    カッターロックオープンレバー
４４    グレンタンクオープンレバー
１００    コンバイン
【図１】
2007060938.tif 000003
【図２】
2007060938.tif 000004
【図３】
2007060938.tif 000005
【図４】
2007060938.tif 000006